(57)【要約】【課題】金型を用いて製造する場合にも製造が容易で、しかも、容器本体を蓋で封止した場合に、蓋が容器本体から水平方向にずれてしまうことを防止することが可能で、使い勝手の良い調理容器を提供する、【解決手段】第１容器構成体６０と第２容器構成体７０とを同一形状、同一寸法とし、第１容器構成体の干渉体６１ａ、６２ａと第２容器構成体の外側面７１、７２とが当接するとともに、第２容器構成体の干渉体７１ａ、７２ａと第１容器構成体の外側面６１、６２とが当接することによって、第１容器構成体と第２容器構成体の、水平方向の相対的な位置決めが行われるように構成するとともに、天地を所定の向きとすることにより、第１容器構成体と第２容器構成体のいずれか一方を容器本体、他方を蓋として用いることができるように構成する。【選択図】図３
2020081423.tif 000002
【特許請求の範囲】
【請求項１】
上面側に第１開口部が設けられた第１容器構成体と、下面側に第２開口部が設けられ、前記第１容器構成体の前記第１開口部を覆うように前記第１容器構成体上に着脱可能に配設される第２容器構成体とを備える調理容器であって、
前記第１容器構成体と前記第２容器構成体とは、同一形状、同一寸法となるように構成され、
前記第１容器構成体と前記第２容器構成体とは、それぞれ、平面視において所定の点を中心点として点対称となる形状を有し、
前記第１容器構成体の一の外側面である第１外側面には、（ａ）該第１外側面より前記中心点側に位置しない態様で設けられた第１干渉体と、（ｂ）前記第１干渉体が配設されていない領域に設けられた第１空所とが配設されているとともに、
前記第１容器構成体の前記第１外側面と点対称の位置にある第２外側面には、（ｃ）該第２外側面より前記中心点側に位置しない態様で、前記第１干渉体に対して点対称となる位置に設けられた第２干渉体と、（ｄ）前記第２干渉体が配設されていない領域であって、前記第１空所に対して点対称となる位置に設けられた第２空所とが配設されており、
前記第２容器構成体は、前記第１容器構成体の前記第１外側面に対応する第３外側面と、前記第１容器構成体の前記第２外側面に対応する第４外側面とを備えているとともに、
前記第２容器構成体には、前記第１容器構成体と同一の態様で、前記第１干渉体に対応する第３干渉体、前記第２干渉体に対応する第４干渉体、前記第１空所に対応する第３空所、および前記第２空所に対応する第４空所が配設されており、
前記第１開口部と前記第２開口部とが正対して両者が封止される態様で、前記第１容器構成体と前記第２容器構成体とを組み合わせた場合に、
前記第２容器構成体の前記第３干渉体が、前記第１容器構成体の前記第２空所に位置し、
前記第２容器構成体の前記第４干渉体が、前記第１容器構成体の前記第１空所に位置し
前記第１容器構成体の前記第１干渉体が、前記第２容器構成体の前記第４空所に位置し、
前記第１容器構成体の前記第２干渉体が、前記第２容器構成体の前記第３空所に位置し、
前記第１容器構成体の前記第１干渉体と前記第２容器構成体の前記第４外側面とが当接し、前記第１容器構成体の前記第２干渉体と前記第２容器構成体の前記第３外側面とが当接し、前記第２容器構成体の前記第３干渉体と前記第１容器構成体の前記第２外側面とが当接し、前記第２容器構成体の前記第４干渉体と前記第１容器構成体の前記第１外側面とが当接すること、および、
前記第１容器構成体の前記第１干渉体と前記第２容器構成体の前記第４干渉体とが当接し、前記第１容器構成体の前記第２干渉体と前記第２容器構成体の前記第３干渉体とが当接することによって、
前記第１容器構成体と前記第２容器構成体の、水平方向の相対的な位置決めがされるように構成されており、
天地を所定の向きとすることにより、前記第１容器構成体と前記第２容器構成体のいずれか一方を容器本体として用い、他方を蓋として用いることができるように構成されていること
を特徴とする調理容器。
【請求項２】
前記第１容器構成体および前記第２容器構成体が、平面視において略矩形に構成されていることを特徴とする請求項１記載の調理容器。
【請求項３】
前記第１容器構成体において、前記第１干渉体が、前記第１外側面に垂直な方向の寸法である幅寸法として所定の幅寸法を有し、かつ、前記第１外側面に沿う方向の寸法である長さ寸法として所定の長さ寸法を有し、前記第２干渉体が、前記第２外側面に垂直な方向の寸法である幅寸法として所定の幅寸法を有し、かつ、前記第２外側面に沿う方向である長さ寸法として所定の長さ寸法を有しており、
前記第２容器構成体においても、前記第１干渉体に対応する前記第３干渉体、および、前記第２干渉体に対応する前記第４干渉体のそれぞれが、前記第１干渉体および前記第２干渉体と同等の、幅寸法および長さ寸法を有するように構成されていること
を特徴とする請求項１または２記載の調理容器。
【発明の詳細な説明】
【技術分野】
【０００１】
本発明は、調理容器に関し、詳しくは、グリルとともに用いることが可能な調理容器に関する。
【背景技術】
【０００２】
近年、グリル庫内に調理プレートなどの調理容器を収容して用いることができるように構成されたグリルが提案されるに至っている。
【０００３】
特許文献１には、そのようなグリル（ガスグリル）が記載されており、グリルを構成するグリル庫内において用いられる調理容器として、容器本体と、容器本体に対して着脱可能な蓋とを備えた調理容器が開示されている。
【０００４】
ところで、上述の調理容器を製造するにあたって、例えばアルミダイキャストなどの金型を用いる方法により調理容器を製造するようにした場合、種々の形状の調理容器を容易に製造することが可能になり有利である。
【０００５】
また、アルミダイキャストの方法で調理容器を製造した場合、調理容器の構成材料としてアルミニウムが用いられることになるため、調理容器の軽量化を図ることが可能になるという利点がある。
【先行技術文献】
【特許文献】
【０００６】
【特許文献１】特開２０１６−００７４２８号公報
【発明の概要】
【発明が解決しようとする課題】
【０００７】
ただし、上記のような調理容器や蓋をアルミダイキャストにより製造する場合、一般的には金型が必要である。
【０００８】
ここで、特許文献１に示されている調理容器をみると、その明細書には詳しくは記載されていないものの、図などによれば、調理容器を構成する容器本体の形状と蓋の形状とは異なっていることがわかる。
【０００９】
そのため、アルミダイキャストにより調理容器を構成する容器本体と蓋とを製造する場合、容器本体の製造に用いるダイキャスト用金型と、蓋の製造に用いるダイキャスト用金型の２種類の金型が必要になる。
【００１０】
そして、２種類の金型を用いてダイキャストを行うことが必要になることによって製造工程が複雑になるばかりでなく、金型償却費用が大きくなり、製造コストの増大を招くという問題点がある。
【００１１】
一方、単に容器本体と蓋とを同一形状として、両者の端面どうしを突き合わせることで、容器本体に蓋が施された状態となるように構成した場合には、蓋が容器本体から水平方向にずれやすく、容器本体を蓋で確実に封止した状態を維持することが困難で、使い勝手が悪いという問題点がある。
【００１２】
本発明は、上記課題を解決するものであり、金型を用いて製造する場合にも製造が容易で、しかも、容器本体を蓋で封止した場合に、蓋が容器本体から水平方向にずれてしまうことを防止することが可能で、使い勝手の良い調理容器を提供することを目的とする。
【課題を解決するための手段】
【００１３】
上記の目的を達成するために、本発明の調理容器は、
上面側に第１開口部が設けられた第１容器構成体と、下面側に第２開口部が設けられ、前記第１容器構成体の前記第１開口部を覆うように前記第１容器構成体上に着脱可能に配設される第２容器構成体とを備える調理容器であって、
前記第１容器構成体と前記第２容器構成体とは、同一形状、同一寸法となるように構成され、
前記第１容器構成体と前記第２容器構成体とは、それぞれ、平面視において所定の点を中心点として点対称となる形状を有し、
前記第１容器構成体の一の外側面である第１外側面には、（ａ）該第１外側面より前記中心点側に位置しない態様で設けられた第１干渉体と、（ｂ）前記第１干渉体が配設されていない領域に設けられた第１空所とが配設されているとともに、
前記第１容器構成体の前記第１外側面と点対称の位置にある第２外側面には、（ｃ）該第２外側面より前記中心点側に位置しない態様で、前記第１干渉体に対して点対称となる位置に設けられた第２干渉体と、（ｄ）前記第２干渉体が配設されていない領域であって、前記第１空所に対して点対称となる位置に設けられた第２空所とが配設されており、
前記第２容器構成体は、前記第１容器構成体の前記第１外側面に対応する第３外側面と、前記第１容器構成体の前記第２外側面に対応する第４外側面とを備えているとともに、
前記第２容器構成体には、前記第１容器構成体と同一の態様で、前記第１干渉体に対応する第３干渉体、前記第２干渉体に対応する第４干渉体、前記第１空所に対応する第３空所、および前記第２空所に対応する第４空所が配設されており、
前記第１開口部と前記第２開口部とが正対して両者が封止される態様で、前記第１容器構成体と前記第２容器構成体とを組み合わせた場合に、
前記第２容器構成体の前記第３干渉体が、前記第１容器構成体の前記第２空所に位置し、
前記第２容器構成体の前記第４干渉体が、前記第１容器構成体の前記第１空所に位置し
前記第１容器構成体の前記第１干渉体が、前記第２容器構成体の前記第４空所に位置し、
前記第１容器構成体の前記第２干渉体が、前記第２容器構成体の前記第３空所に位置し、
前記第１容器構成体の前記第１干渉体と前記第２容器構成体の前記第４外側面とが当接し、前記第１容器構成体の前記第２干渉体と前記第２容器構成体の前記第３外側面とが当接し、前記第２容器構成体の前記第３干渉体と前記第１容器構成体の前記第２外側面とが当接し、前記第２容器構成体の前記第４干渉体と前記第１容器構成体の前記第１外側面とが当接すること、および、
前記第１容器構成体の前記第１干渉体と前記第２容器構成体の前記第４干渉体とが当接し、前記第１容器構成体の前記第２干渉体と前記第２容器構成体の前記第３干渉体とが当接することによって、
前記第１容器構成体と前記第２容器構成体の、水平方向の相対的な位置決めがされるように構成されており、
天地を所定の向きとすることにより、前記第１容器構成体と前記第２容器構成体のいずれか一方を容器本体として用い、他方を蓋として用いることができるように構成されていること
を特徴としている。
【００１４】
本発明の調理容器においては、前記第１容器構成体および前記第２容器構成体が、平面視において略矩形に構成されていることが好ましい。
【００１５】
また、前記第１容器構成体において、前記第１干渉体が、前記第１外側面に垂直な方向の寸法である幅寸法として所定の幅寸法を有し、かつ、前記第１外側面に沿う方向の寸法である長さ寸法として所定の長さ寸法を有し、前記第２干渉体が、前記第２外側面に垂直な方向の寸法である幅寸法として所定の幅寸法を有し、かつ、前記第２外側面に沿う方向である長さ寸法として所定の長さ寸法を有しており、
前記第２容器構成体においても、前記第１干渉体に対応する前記第３干渉体、および、前記第２干渉体に対応する前記第４干渉体のそれぞれが、前記第１干渉体および前記第２干渉体と同等の、幅寸法および長さ寸法を有するように構成されていること
が好ましい。
【発明の効果】
【００１６】
本発明の調理容器は、上述のように構成されているので、容器本体（あるいは蓋）として機能する第１容器構成体と、蓋（あるいは容器本体）として機能する第２容器構成体の形状および寸法を同一とし、容器本体に蓋を施して、容器本体の開口部を蓋により封止するようにした場合において、蓋（例えば第２容器構成体）が容器本体（例えば第１容器構成体）から水平方向にずれてしまうという不都合が生じることを抑制することができる。
【００１７】
また、容器本体（あるいは蓋）として機能する第１容器構成体と、蓋（あるいは容器本体）として機能する第２容器構成体の形状および寸法が同一に構成されているので、アルミダイキャストなどの金型を用いた製造方法で調理容器を製造する場合に、１つ（１種類）の金型を用いて、容器本体（あるいは蓋）として機能する第１容器構成体と、蓋（あるいは容器本体）として機能する第２容器構成体の両方を製造することが可能になる。
【００１８】
したがって、容器本体（あるいは蓋）として機能する第１容器構成体と、蓋（あるいは容器本体）として機能する第２容器構成体を製造する場合に用いる金型の共通化を行うことが可能になり、金型償却費を低減して、製造コストを抑制することが可能で、かつ、蓋（例えば第２容器構成体）が容器本体（例えば第１容器構成体）から水平方向にずれてしまうことを防止することが可能で信頼性が高く、使い勝手の良い調理容器を実現することができる。
【００１９】
また、第１容器構成体および第２容器構成体を、平面視において略矩形に構成した場合、一般的にグリル庫内の平面視形状が矩形に構成されるガスグリルや、電気グリルとともに用いるとき、グリル庫内に無駄な隙間が形成されることを抑制して、グリル庫内の空間を効率よく利用することが可能な調理容器を実現することができる。
【００２０】
なお、本発明の調理容器は、ガスグリルや電気グリルなどとともに用いるのに好適な調理容器であるが、ガスグリルや電気グリルなどとともに用いるのではなく、他の加熱調理器とともに用いることも可能である。
【００２１】
また、第１容器構成体において、第１干渉体が、第１外側面に垂直な方向の寸法である幅寸法として所定の幅寸法を有し、かつ、第１外側面に沿う方向の寸法である長さ寸法として所定の長さ寸法を有し、第２干渉体が、第２外側面に垂直な方向の寸法である幅寸法として所定の幅寸法を有し、かつ、第２外側面に沿う方向である長さ寸法として所定の長さ寸法を有しているとともに、第２容器構成体においても、第１干渉体に対応する第３干渉体および第２干渉体に対応する第４干渉体のそれぞれが、第１干渉体および第２干渉体と同等の、幅寸法および長さ寸法を有するように構成されている場合、第１容器構成体と第２容器構成体（容器本体と蓋）との位置ずれを防止することが可能になるばかりでなく、第１干渉体、第２干渉体、第３干渉体、および、第４干渉体を、蓋や容器本体を持ち上げるときの把持部として用いることが可能になり、使い勝手の良い調理容器を提供することが可能になる。
【図面の簡単な説明】
【００２２】
【図１Ａ】本発明の実施形態にかかる調理容器が用いられるガスグリルを備えたガスコンロを示す平面図である。
【図１Ｂ】本発明の実施形態にかかる調理容器が用いられるガスグリルを備えたガスコンロを示す正面図である。
【図１Ｃ】本発明の実施形態にかかる調理容器をグリル庫内に収容した状態を示す切欠き正面図である。
【図２】本発明の実施形態にかかる調理容器を示す図であって、（ａ）は正面図、（ｂ）は側面図である。
【図３】本発明の実施形態にかかる調理容器の平面図である。
【図４】本発明の実施形態にかかる調理容器を構成する第１容器構成体（容器本体）を示す図であって、（ａ）は正面図、（ｂ）は平面図である。
【図５】本発明の実施形態にかかる調理容器を構成する第２容器構成体（蓋）を示す図であって、（ａ）は正面図、（ｂ）は平面図である。
【発明を実施するための形態】
【００２３】
以下、本発明の実施形態を示して、その特徴とするところをさらに詳しく説明する。
【００２４】
なお、本実施形態の調理容器５０は、図１Ｃに示すように、ガスグリルＧを構成するグリル庫Ｇ１内に収容して用いられる、第１容器構成体（容器本体）６０と、第２容器構成体（蓋）７０とを備えた調理容器である。
【００２５】
本実施形態では、まず本発明の実施形態にかかる調理容器が用いられるガスグリルを備えたガスコンロの構成を説明し、その後、本発明の実施形態にかかる調理容器について説明する。
【００２６】
＜ガスグリルを備えたガスコンロの全体構成＞
本実施形態におけるガスコンロＡは、図１Ａ、図１Ｂに示すように、キッチンカウンタに形成したコンロ装着口に上方から挿入して組み付ける、いわゆるビルトインタイプのガスコンロであり、コンロ本体Ｈの上部の周縁部には、キッチンカウンタに載置される鍔部Ｈ１（図１Ｂ）を備えている。
また、本実施形態にかかる調理容器５０（図１Ｃ、図２〜図５参照）が用いられるガスコンロＡは、グリル（ガスグリル）Ｇを備えているグリル付きコンロである。
【００２７】
そして、本実施形態にかかるグリル付きコンロＡは、図１Ａ、図１Ｂに示すように、コンロ本体Ｈの上面部の前方側の左右にコンロバーナ１０（１０ａ、１０ｂ）を備えるとともに、中央の後方にコンロバーナ１０（１０ｃ）を備えている。
【００２８】
また、グリル付きコンロＡは、コンロ本体Ｈの内部にグリル（ガスグリル）Ｇを備えており、グリルＧは前面に開口Ｇ３を有するグリル庫Ｇ１とともに、開口Ｇ３を開閉するグリル扉Ｇ２を備えている。グリル扉Ｇ２は、グリル付きコンロＡの使用者がグリルＧの内部を視認するための透光窓Ｇ２１を備えている（図１Ｂ）。
【００２９】
また、コンロ本体Ｈの上部には、ガラス製の天板１１が配設され、天板１１の後方側（奥側）箇所には、グリルＧの調理排気を排出するためのグリル排気口１２（図１Ａ）が形成されている。
【００３０】
また、天板１１の上部には、コンロバーナ１０により加熱される鍋などの被加熱物を載置するための五徳１３が、左右および後方の各コンロバーナ１０（１０ａ、１０ｂ、１０ｃ）のそれぞれに対応して設けられている。
【００３１】
さらに、各コンロバーナ１０（１０ａ、１０ｂ、１０ｃ）の中央部には、鍋などの被加熱物の存在および被加熱物の底壁温度を検出するコンロバーナセンサ１４が設けられている。
【００３２】
また、コンロ本体Ｈの上面に配設された天板１１の手前側箇所には、左右および後方の各コンロバーナ１０（１０ａ、１０ｂ、１０ｃ）のそれぞれの点消火や火力調整を手動で行うためのコンロ用操作具２０（図１Ａ）が設けられている。
【００３３】
さらに、コンロ本体Ｈの前面部の右側箇所には、グリルＧに対するグリル用設定操作部（調理設定操作部）２１が、下方側を支軸（回動軸）とする前後揺動により開閉することが可能な態様で（すなわち、グリル庫奥行き方向に直交する水平方向を回動軸方向として前後に回動させることが可能な態様で）設けられている。なお、図１Ａ、図１Ｂは、グリル用設定操作部２１が閉じた状態を示している。
【００３４】
また、コンロ本体Ｈの前面部の左側箇所には、左右および後方の各コンロバーナ１０（１０ａ、１０ｂ、１０ｃ）に対するコンロ用設定操作部（調理設定操作部）２２（図１Ｂ）が、下方側を支軸（図示せず）とした前後揺動により開閉することができる（すなわち、グリル庫奥行き方向に直交する水平方向を回動軸方向として前後に回動させることができる）ように設けられている。なお、図１Ａ、図１Ｂは、コンロ用設定操作部２２が閉じた状態を示している。
【００３５】
＜特徴的構成＞
次に、本発明の実施形態にかかる調理容器５０の構成について説明する。
【００３６】
本実施形態にかかる調理容器５０は、図２〜図５に示すように、上面側に第１開口部６０ａが設けられた第１容器構成体（容器本体）６０（特に図４参照）と、第１容器構成体６０の第１開口部６０ａを覆うように第１容器構成体６０上に着脱可能に配設される、下面側に第２開口部７０ａが設けられた第２容器構成体（蓋）７０（特に図５参照）とを備えている。
【００３７】
また、図４、図５に示すように、第１容器構成体６０および第２容器構成体７０は、平面視において略矩形に構成されているとともに、第１容器構成体６０と第２容器構成体７０とは同一形状、同一寸法となるように構成されている。
【００３８】
そして、後述のように、第１容器構成体６０は、天地を逆にすることにより、調理容器５０を構成する蓋としても用いることが可能であり、また、第２容器構成体７０は、天地を逆にすることにより、調理容器５０を構成する容器本体としても用いることができるように構成されている。
【００３９】
また、第１容器構成体６０は、平面視において所定の中心点Ｃ１を中心として点対称となる形状を有し、第２容器構成体７０は、平面視において所定の中心点Ｃ２を中心として点対称となる形状を有している。
【００４０】
図４に示すように、第１容器構成体６０の一の外側面である第１外側面６１には、（ａ）第１外側面６１より中心点Ｃ１側に位置しない態様（第１外側面６１から外側に突出する態様）で設けられた第１干渉体６１ａと、（ｂ）第１干渉体６１ａが配設されていない領域に設けられた第１空所６１ｂとが配設されている。
【００４１】
また、第１容器構成体６０の第１外側面６１と所定の中心点Ｃ１を中心として点対称の位置にある（本実施形態では、第１外側面６１と対向する位置にある）第２外側面６２には、（ｃ）第２外側面６２より中心点Ｃ１側に位置しない態様（第２外側面６２から外側に突出する態様）で、第１干渉体６１ａに対して所定の中心点Ｃ１を中心として点対称となる位置に設けられた第２干渉体６２ａと、（ｄ）第２干渉体６２ａが配設されていない領域であって、第１空所６１ｂに対して所定の中心点Ｃ１を中心として点対称となる位置に設けられた第２空所６２ｂとが配設されている。
【００４２】
さらに、図５に示すように、第２容器構成体７０にも、第１容器構成体６０と同一の態様で、第１干渉体６１ａに対応する第３干渉体７１ａ、第２干渉体６２ａに対応する第４干渉体７２ａ、第１空所６１ｂに対応する第３空所７１ｂ、および第２空所６２ｂに対応する第４空所７２ｂが配設されている。なお、図５（ａ）、（ｂ）は、第２容器構成体７０が蓋として用いられる状態（第２開口部７０ａが下向きになる状態）を示している。
【００４３】
すなわち、第２容器構成体７０の一の外側面である第３外側面７１には、（ａ）第３外側面７１より中心点Ｃ２側に位置しない態様（第３外側面７１から外側に突出する態様）で設けられた第３干渉体７１ａと、（ｂ）第３干渉体７１ａが配設されていない領域に設けられた第３空所７１ｂとが配設されている。
【００４４】
また、第２容器構成体７０の第３外側面７１と所定の中心点Ｃ２を中心として点対称の位置にある（本実施形態では、第３外側面７１と対向する位置にある）第４外側面７２には、（ｃ）第４外側面７２より中心点Ｃ２側に位置しない態様（第４外側面７２から外側に突出する態様）で、第３干渉体７１ａに対して所定の中心点Ｃ２を中心として点対称となる位置に設けられた第４干渉体７２ａと、（ｄ）第４干渉体７２ａが配設されていない領域であって、第３空所７１ｂに対して所定の中心点Ｃ２を中心として点対称となる位置に設けられた第４空所７２ｂとが配設されている。
【００４５】
そして、第１開口部６０ａと第２開口部７０ａとが正対して両者が封止される態様で、第１容器構成体６０と第２容器構成体７０とを組み合わせた場合に（図１Ｃ、図２、図３参照）、
（１）第２容器構成体７０の第３干渉体７１ａが、第１容器構成体６０の第２空所６２ｂに位置し、
（２）第２容器構成体７０の第４干渉体７２ａが、第１容器構成体６０の第１空所６１ｂに位置し
（３）第１容器構成体６０の第１干渉体６１ａが、第２容器構成体７０の第４空所７２ｂに位置し、
（４）第１容器構成体６０の第２干渉体６２ａが、第２容器構成体７０の第３空所７１ｂに位置し、
（５）第１容器構成体６０の第１干渉体６１ａと第２容器構成体７０の第４外側面７２とが当接し、第１容器構成体６０の第２干渉体６２ａと第２容器構成体７０の第３外側面７１とが当接し、第２容器構成体７０の第３干渉体７１ａと第１容器構成体６０の第２外側面６２とが当接し、第２容器構成体７０の第４干渉体７２ａと第１容器構成体６０の第１外側面６１とが当接し、さらに、
（６）第１容器構成体６０の第１干渉体６１ａと第２容器構成体７０の第４干渉体７２ａとが当接し、第１容器構成体６０の第２干渉体６２ａと第２容器構成体７０の第３干渉体７１ａとが当接するように構成されており、
上記要件が満たされることにより、第１容器構成体６０と第２容器構成体７０の、水平方向の相対的な位置決めがされるように構成されている。
【００４６】
そして、第１容器構成体６０が下側に位置し、第２容器構成体７０が上側に位置する状態で、天地の向きを、第１容器構成体６０が下側、第２容器構成体７０が上側になるようにすることにより、第１容器構成体６０が容器本体、第２容器構成体７０が蓋として機能し、また、特に図示しないが、天地の向きを、第１容器構成体６０が上側、第２容器構成体７０が下側になるようにすることにより、第２容器構成体７０が容器本体、第１容器構成体６０が蓋として機能するように構成されている。
【００４７】
また、本実施形態にかかる調理容器５０では、主として図４に示すように、第１容器構成体６０において、第１干渉体６１ａが、第１外側面６１に垂直な方向の寸法である幅寸法として所定の幅寸法Ｗ１（本実施形態ではＷ１＝１５ｍｍ）を有し、かつ、第１外側面６１に沿う方向の寸法である長さ寸法として所定の長さ寸法Ｌ１（本実施形態ではＬ１＝１０５ｍｍ）を有し、第２干渉体６２ａが、第２外側面６２に垂直な方向の寸法である幅寸法として所定の幅寸法Ｗ２（本実施形態ではＷ２＝１５ｍｍ）を有し、かつ、第２外側面６２に沿う方向である長さ寸法として所定の長さ寸法Ｌ２（本実施形態ではＬ２＝１０５ｍｍ）を有するように構成されている。
【００４８】
また、主として図５に示すように、第２容器構成体７０においても、第３干渉体７１ａが、第３外側面７１に垂直な方向の寸法である幅寸法として所定の幅寸法Ｗ３（本実施形態ではＷ３＝１５ｍｍ）を有し、かつ、第３外側面７１に沿う方向の寸法である長さ寸法として所定の長さ寸法Ｌ３（本実施形態ではＬ３＝１０５ｍｍ）を有し、第４干渉体７２ａが、第４外側面７２に垂直な方向の寸法である幅寸法として所定の幅寸法Ｗ４（本実施形態ではＷ４＝１５ｍｍ）を有し、かつ、第４外側面７２に沿う方向である長さ寸法として所定の長さ寸法Ｌ４（本実施形態ではＬ４＝１０５ｍｍ）を有するように構成されている。
【００４９】
なお、第１容器構成体６０と第２容器構成体７０は同一の形状および寸法を有しているので、第１空所６１ｂと第３空所７１ｂ、第２空所６２ｂと第４空所７２ｂも、同一の幅寸法と長さ寸法を有することになる。
【００５０】
すなわち、第１容器構成体６０の第１干渉体６１ａおよび第２干渉体６２ａに対応する、第２容器構成体７０の第３干渉体７１ａと第４干渉体７２ａのそれぞれが、第１干渉体６１ａおよび第２干渉体６２ａの幅寸法Ｗ１、Ｗ２および長さ寸法Ｌ１、Ｌ２と同等の、幅寸法Ｗ３、Ｗ４および長さ寸法Ｌ３、Ｌ４を有するように構成されている。
【００５１】
本実施形態にかかる調理容器５０は、上述のように、第１開口部６０ａと第２開口部６０ｂとが正対して両者が封止される態様で、第１容器構成体６０と第２容器構成体７０とを組み合わせた場合に、上述の（１）〜（６）の要件が満たされるように構成されているので、容器本体（あるいは蓋）として機能する第１容器構成体６０と、蓋（あるいは容器本体）として機能する第２容器構成体７０とが、同じ形状および寸法に構成されている場合にも、容器本体（第１容器構成体）６０に蓋（第２容器構成体）７０を施して、容器本体の開口部を蓋により封止するようにした場合において、蓋（第２容器構成体）７０が容器本体（第１容器構成体）６０から水平方向にずれてしまうことを防止することができる。
【００５２】
また、第１容器構成体６０と第２容器構成体７０とが同一形状、同一寸法とされているので、アルミダイキャストなどの金型を用いた製造方法で調理容器を製造する場合に、１つ（１種類）の金型を用いて、容器本体（あるいは蓋）として機能する第１容器構成体６０と、蓋（あるいは容器本体）として機能する第２容器構成体７０の両方を製造することが可能になる。その結果、第１容器構成体６０と、第２容器構成体７０を製造する場合に用いる金型の共通化を行うことが可能になり、金型償却費を低減して、製造コストを抑制することができる。
【００５３】
したがって、本発明によれば、蓋（例えば第２容器構成体）が容器本体（例えば第１容器構成体）から水平方向にずれてしまうことを防止することが可能で使い勝手が良く、かつ、経済的に製造することが可能な調理容器を実現することができる。
【００５４】
また、第１容器構成体６０と第２容器構成体７０とは平面形状が矩形に形成されており、一般的にグリル庫内の平面視形状が矩形に構成されるガスグリルや、電気グリルとともに用いるとき、グリル庫内に無駄な領域が生じることを抑制して、グリル庫内の空間を効率よく利用するが可能な調理容器を実現することができる。
【００５５】
また、第１容器構成体６０の第１干渉体６１ａ、第２干渉体６２ａ、第２容器構成体７０の第３干渉体７１ａ、第４干渉体７２ａが上述のような所定の寸法Ｌ１、Ｌ２、Ｌ３、Ｌ４、Ｗ１、Ｗ２、Ｗ３、Ｗ４を有するように構成されているため、容器本体（第１容器構成体６０）と蓋（第２容器構成体７０）との位置ずれを防止することが可能になるばかりでなく、蓋（第２容器構成体７０）や容器本体（第１容器構成体６０）を持ち上げるときの把持部として機能させることが可能になり、使い勝手の良い調理容器を提供することが可能になる。
【００５６】
ただし、第１干渉体６１ａ、第２干渉体６２ａ、第３干渉体７１ａ、第４干渉体７２ａの寸法は上記実施形態の値に限定されるものではなく、グリル庫の寸法、使用条件などを考慮して種々の寸法とすることができる。
【００５７】
また、上記実施形態では、第１容器構成体６０と第２容器構成体７０の平面形状を略矩形とした場合について説明したが、第１容器構成体６０と第２容器構成体７０の形状は上記実施形態の場合に限定されるものではなく、例えば、円形、楕円形、六角形などの多角形、その他の種々の形状とすることができる。
【００５８】
本発明は、さらにその他の点においても上記実施形態に限定されるものではな
く、発明の範囲内において、種々の変形を加えることが可能である。
【符号の説明】
【００５９】
１０（１０ａ、１０ｂ、１０ｃ）    コンロバーナ
１１      天板
１２      グリル排気口
１３      五徳
１４      コンロバーナセンサ
２０      コンロ用操作具
２１      グリル用設定操作部（調理設定操作部）
２２      コンロ用設定操作部（調理設定操作部）
３１ａ    グリル用設定操作部開閉体
３１ｂ    コンロ用設定操作部開閉体
４１      上バーナ    
４２      下バーナ    
５０      調理容器
６０      第１容器構成体  
６０ａ    第１容器構成体の第１開口部
６１      第１容器構成体の第１外側面
６１ａ    第１干渉体
６１ｂ    第１空所
６２      第１容器構成体の第２外側面
６２ａ    第２干渉体
６２ｂ    第２空所
７０      第２容器構成体
７０ａ    第２容器構成体の第２開口部
７１      第２容器構成体の第３外側面
７１ａ    第３干渉体
７１ｂ    第３空所
７２      第２容器構成体の第４外側面
７２ａ    第４干渉体
７２ｂ    第４空所
Ａ        コンロ（グリル付きコンロ）
Ｃ１      第１容器構成体の中心点
Ｃ２      第２容器構成体の中心点
Ｇ        グリル
Ｇ１      グリル庫
Ｇ２      グリル扉
Ｇ３      開口
Ｇ２１    透光窓
Ｈ        コンロ本体
Ｈ１      鍔部
Ｌ１      第１干渉体の長さ寸法
Ｌ２      第２干渉体の長さ寸法
Ｌ３      第３干渉体の長さ寸法
Ｌ４      第４干渉体の長さ寸法
Ｗ１      第１干渉体の幅寸法
Ｗ２      第２干渉体の幅寸法
Ｗ３      第３干渉体の幅寸法
Ｗ４      第４干渉体の幅寸法
【図１Ａ】
2020081423.tif 000003
【図１Ｂ】
2020081423.tif 000004
【図１Ｃ】
2020081423.tif 000005
【図２】
2020081423.tif 000006
【図３】
2020081423.tif 000007
【図４】
2020081423.tif 000008
【図５】
2020081423.tif 000009